(57)【要約】【課題】  防水性を高めつつ、外部機器に電力を適切に供給可能な照明装置を提供すること。【解決手段】  長尺状ランプ５と、長尺状ランプ５に電力を供給する電源ユニット器具側電源ユニット２０８と、を備える照明装置Ａ１であって、器具側電源ユニット２０８は、外部からの電力供給を受けるための電源ケーブル４４６が接続される端子台４４０と、外部機器９０２への電力供給を行うための電源部４３０と、端子台４４０および電源部４３０を収容する防水ケース４１２と、を有する。【選択図】  図９
2019102213.tif 000002
【特許請求の範囲】
【請求項１】
長尺状ランプと、
前記長尺状ランプに電力を供給する電源ユニットと、を備える照明装置であって、
前記電源ユニットは、外部からの電力供給を受けるための電源ケーブルが接続される端子台と、外部機器への電力供給を行うための電源部と、前記端子台および前記電源部を収容する防水ケースと、を有することを特徴とする、照明装置。
【請求項２】
前記長尺状ランプを支持する器具をさらに備えており、
前記電源ユニットは、前記器具に取り付けられた器具側電源ユニットである、請求項１に記載の照明装置。
【請求項３】
前記長尺状ランプは、複数のＬＥＤを含むＬＥＤユニットと、前記器具側電源ユニットから受けた電力を前記ＬＥＤユニットを点灯させるための電力に変換するユニット側電源ユニットと、を有する、請求項２に記載の照明装置。
【請求項４】
前記長尺状ランプは、前記ＬＥＤユニットおよび前記ユニット側電源ユニットを収容し、且つ透光性の材質からなる筒状の透光性カバー体を有する、請求項３に記載の照明装置。
【請求項５】
前記器具は、前記長尺状ランプの少なくとも一部を収容し、且つ前記長尺状ランプの少なくとも一部を露出させる開口が形成された器具本体を有し、
前記器具側電源ユニットは、前記器具本体に収容されている、請求項２ないし４のいずれかに記載の照明装置。
【発明の詳細な説明】
【技術分野】
【０００１】
本発明は、照明装置に関する。
【背景技術】
【０００２】
特許文献１には、直管形の蛍光灯ランプを備える照明装置の一例が開示されている。同文献に開示された照明装置は、電源部を備えている。この電源部は、蛍光灯ランプを点灯させるための電力と、外部機器を動作させるための電力と、を出力する。
【先行技術文献】
【特許文献】
【０００３】
【特許文献１】再表２００７−０７４７２４号公報
【発明の概要】
【発明が解決しようとする課題】
【０００４】
電源部は、電圧変換等の機能を果たす電子部品等を有している。このような電源回路は、水分の浸入により適切な動作が阻害されるおそれがある。
【０００５】
本発明は、上記した事情のもとで考え出されたものであって、防水性を高めつつ、外部機器に電力を適切に供給可能な照明装置を提供することをその課題とする。
【課題を解決するための手段】
【０００６】
本発明によって提供される照明装置は、長尺状ランプと、前記長尺状ランプに電力を供給する電源ユニットと、を備える照明装置であって、前記電源ユニットは、外部からの電力供給を受けるための電源ケーブルが接続される端子台と、外部機器への電力供給を行うための電源部と、前記端子台および前記電源部を収容する防水ケースと、を有することを特徴としている。
【０００７】
本発明の好ましい実施の形態においては、前記長尺状ランプを支持する器具をさらに備えており、前記電源ユニットは、前記器具に取り付けられた器具側電源ユニットである。
【０００８】
本発明の好ましい実施の形態においては、前記長尺状ランプは、複数のＬＥＤを含むＬＥＤユニットと、前記器具側電源ユニットから受けた電力を前記ＬＥＤユニットを点灯させるための電力に変換するユニット側電源ユニットと、を有する。
【０００９】
本発明の好ましい実施の形態においては、前記長尺状ランプは、前記ＬＥＤユニットおよび前記ユニット側電源ユニットを収容し、且つ透光性の材質からなる筒状の透光性カバー体を有する。
【００１０】
本発明の好ましい実施の形態においては、前記器具は、前記長尺状ランプの少なくとも一部を収容し、且つ前記長尺状ランプの少なくとも一部を露出させる開口が形成された器具本体を有し、前記器具側電源ユニットは、前記器具本体に収容されている。
【発明の効果】
【００１１】
本発明によれば、防水性を高めつつ、外部機器に電力を適切に供給することができる。
【００１２】
本発明のその他の特徴および利点は、添付図面を参照して以下に行う詳細な説明によって、より明らかとなろう。
【図面の簡単な説明】
【００１３】
【図１】本発明の第１実施形態に係る照明装置を示す斜視図である。
【図２】本発明の第１実施形態に係る照明装置を示す分解斜視図である。
【図３】本発明の第１実施形態に係る照明装置を示す平面図である。
【図４】本発明の第１実施形態に係る照明装置を示す正面図である。
【図５】本発明の第１実施形態に係る照明装置を示す底面図である。
【図６】本発明の第１実施形態に係る照明装置を示す要部平面図である。
【図７】図３のＶＩＩ−ＶＩＩ線に沿う断面図である。
【図８】本発明の第１実施形態に係る照明装置を示す要部拡大断面図である。
【図９】本発明の第１実施形態に係る照明装置を示す要部拡大断面図である。
【図１０】図７のＸ−Ｘ線に沿う断面図である。
【図１１】図７のＸＩ−ＸＩ線に沿う断面図である。
【図１２】本発明の第１実施形態に係る照明装置を示すシステム構成図である。
【図１３】本発明の第１実施形態に係る照明装置の器具を示す分解斜視図である。
【図１４】本発明の第１実施形態に係る照明装置の長尺状ランプを示す分解斜視図である。
【図１５】本発明の第１実施形態に係る照明装置の器具側電源ユニットおよびランプ側電源ユニットを示す斜視図である。
【図１６】本発明の第１実施形態に係る照明装置の器具側電源ユニットを示す分解斜視図である。
【図１７】本発明の第１実施形態に係る照明装置の脱着機構を示す断面斜視図である。
【図１８】本発明の第１実施形態に係る照明装置の脱着機構を示しており、（ａ）は正面図であり、（ｂ）は底面図であり、（ｃ）は側面図である。
【図１９】本発明の第１実施形態に係る照明装置の脱着機構の動作を示す要部斜視図である。
【図２０】本発明の第１実施形態に係る照明装置の脱着機構の動作を示す要部斜視図である。
【図２１】本発明の第１実施形態に係る照明装置の脱着機構の動作を示す要部斜視図である。
【図２２】本発明の第２実施形態に係る照明装置を示すシステム構成図である。
【図２３】本発明の第３実施形態に係る照明装置を示すシステム構成図である。
【発明を実施するための形態】
【００１４】
以下、本発明の好ましい実施の形態につき、図面を参照して具体的に説明する。
【００１５】
＜第１実施形態＞
図１〜図１２は、本発明の第１実施形態に係る照明装置を示している。本実施形態の照明装置Ａ１は、器具３および長尺状ランプ５を備えている。照明装置Ａ１は、たとえば天井等の設置対象に取り付けられることにより周囲を照らす機能を果たす。また、照明装置Ａ１は、外部機器に電源を供給する機能を果たす。また、照明装置Ａ１は、脱着機構１６をさらに備えている。
【００１６】
図１は、照明装置Ａ１を示す斜視図である。図２は、照明装置Ａ１を示す分解斜視図である。図３は、照明装置Ａ１を示す平面図である。図４は、照明装置Ａ１を示す正面図である。図５は、照明装置Ａ１を示す底面図である。図６は、照明装置Ａ１を示す要部平面図である。図７は、図３のＶＩＩ−ＶＩＩ線に沿う断面図である。図８は、照明装置Ａ１を示す要部拡大断面図である。図９は、照明装置Ａ１を示す要部拡大断面図である。図１０は、図７のＸ−Ｘ線に沿う断面図である。図１１は、図７のＸＩ−ＸＩ線に沿う断面図である。図１２は、照明装置Ａ１を示すシステム構成図である。なお、これらの図において、ｘ方向は、長尺状ランプ５の長手方向であり、ｙ方向は、ｘ方向と直角である幅方向であり、ｚ方向は、ｘ方向およびｙ方向と直角である方向であり、たとえば天地方向に相当する場合がある。図６においては、理解の便宜上、後述の透光性カバー体２０９およびカバー体５０７を省略している。なお、図２、図７、図１３および図１６においては、理解の便宜上、後述のケーブル２８８およびコネクタ２９０と中継ケーブル４４２およびコネクタ４４８と電源ケーブル４４６とを省略している。
【００１７】
〔器具３〕
器具３は、天井等の設置対象に取り付けられるものであり、長尺状ランプ５を支持する。本実施形態の器具３は、器具本体１１、器具側装着具１３および器具側電源ユニット２０８を有する。また、器具３には、後述するように脱着機構１６の一部の構成要素が取り付けられている。
【００１８】
器具本体１１は、長尺状ランプ５の少なくとも一部を収容し、長尺状ランプ５を支持する機能を果たす。図２および図７〜図１１に示すように、図示された例においては、器具本体１１は、器具本体部材３１、第１端部材３３および第１端部材３５を有する。器具本体１１は、ｘ方向に長く延びており、ｚ方向に開いた「Ｃ」字状に似た断面形状を有する。器具本体部材３１は、ｚ方向奥側に位置する底部３２を有する。第１端部材３３および第１端部材３５は、器具本体部材３１のｘ方向両端を塞いでおり、図示された例においては、ｘ方向視略矩形状である。器具本体部材３１、第１端部材３３および第１端部材３５の材質は特に限定されず、たとえば金属や樹脂からなる。
【００１９】
器具本体１１は、開口１４を有する。開口１４は、ｚ方向に開いており、図示された例においては、ｚ方向視矩形状である。底部３２には、複数の貫通孔４５が形成されている。貫通孔４５は、底部３２をｚ方向に貫通している。複数の貫通孔４５のいずれかは、たとえば後述の電源ケーブル４４６や外部機器ケーブル９０４を挿通させるために用いられる。
【００２０】
また、器具本体部材３１には、図１３に示すように貫通孔４６が形成されている。貫通孔４６は、図１に示すように、後述の脱着機構１６の構成要素である操作部３４６を露出させるためのものである。図示された例においては、貫通孔４６は、器具本体部材３１をｙ方向に貫通しており、器具本体部材３１のｘ方向略中央に設けられている。
【００２１】
図２、図７および図８に示すように、器具側装着具１３は、器具本体１１に取り付けられており、図示された例においては、器具本体部材３１の底部３２に取り付けられている。器具側装着具１３は、長尺状ランプ５の器具３への装着を実現するためのものである。本実施形態においては、２つの器具側装着具１３が脱着機構１６を挟んでｘ方向に互いに離間して設けられている。
【００２２】
器具側装着具１３は、ばね体８１およびばね固定部材８３を有する。ばね体８１は、例えば一対のコイルばねと、これらのコイルばねの一端から延出する一対の延出線部と、これらのコイルばねの他端から延出して互いに連結されたＵ字状線部と、を有する。このＵ字状線部は、後述の長尺状ランプ５のランプ側装着具２２３に係合する。
【００２３】
ばね固定部材８３は、ばね体８１を器具本体１１の底部３２に対して固定するためのものである。図示された例においては、ばね固定部材８３は、ばね体８１の一対のコイルばねを固定している。
【００２４】
器具側装着具１３は、ばね体８１の弾性変形を利用して、ばね体８１がランプ側装着具２２３に係合した状態で、長尺状ランプ５を器具３に対して相対的に近接した位置で保持する状態と、長尺状ランプ５を器具３に対して相対的に離間した位置で保持する状態と、を実現する。図７および図８は、長尺状ランプ５を器具３に対して相対的に近接した位置で器具側装着具１３が保持する状態を示している。図示された状態からばね体８１がｚ方向に開くように弾性変形することにより、長尺状ランプ５を器具３に対して相対的に離間した位置で保持する状態となる。
【００２５】
器具側電源ユニット２０８は、図１２に示すように、たとえば商用の交流１００Ｖ電源から電力供給を受けることにより、器具３への電力供給と外部機器９０２への電力供給とを行うためのものである。図９、図１０、図１２、図１３、図１５および図１６に示すように、本実施形態においては、器具側電源ユニット２０８は、防水ケース４１２、電源部４３０および端子台４４０を有する。
【００２６】
防水ケース４１２は、電源部４３０および端子台４４０等を外部からの水分の浸入を抑制した状態で収容するものである。防水ケース４１２の防水性は、照明装置Ａ１が設置される環境や電源部４３０および端子台４４０等の構成によって適宜設定される。たとえば、本実施形態の防水ケース４１２は、外面に付着した水分が即座に内部に浸入することを阻止しうる程度の防水性を備える。
【００２７】
防水ケース４１２の具体的構成は、上述した防水性を確保しうる構成であれば特に限定されない。防水ケース４１２には、電力授受に必要となるケーブルを、防水状態で挿通させる部位を設けることが好ましい。図１６に示すように、本実施形態においては、防水ケース４１２は、本体部４１４、蓋部４１６、２つのキャップ４５２およびキャップ４５６を有する。
【００２８】
本体部４１４は、有底箱状の部材であり、図示された例においては、電源部４３０および端子台４４０が取り付けられている。蓋部４１６は、本体部４１４に取り付けることにより、防水構造に寄与しうる筐体を構成するものである。本体部４１４および蓋部４１６の材質は特に限定されず、たとえば樹脂からなる。本体部４１４および蓋部４１６は、ｘ方向を長手方向とする直方体形状の筐体を構成する。
【００２９】
本体部４１４には、２つの切り欠き４１８と切り欠き４２０とが形成されている。蓋部４１６には、２つの切り欠き４２２が形成されている。２つの本体部４１４は、本体部４１４のｘ方向両端に形成されている。切り欠き４１８は、本体部４１４のｚ方向端縁からｚ方向に凹むｘ方向視矩形状である。切り欠き４２０は、本体部４１４のｘ方向中央付近に形成されており、ｚ方向端縁からｚ方向に凹むｙ方向視矩形状である。２つの切り欠き４２２は、蓋部４１６のｘ方向両端に形成されている。切り欠き４２０は、蓋部４１６のｚ方向端縁からｚ方向に凹むｙ方向視矩形状である。
【００３０】
本体部４１４と蓋部４１６とを合体させると、２つの切り欠き４１８と２つの切り欠き４２２とにより、防水ケース４１２に２つの孔が形成される。また、切り欠き４２０により、防水ケース４１２には、１つの孔が形成される。このように、図示された例においては、防水ケース４１２には、ケーブルを挿通させうる３つの孔が設けられている。ただし、防水ケース４１２に設けられる孔の個数や位置、形状、大きさ等は特に限定されない。
【００３１】
２つのキャップ４５２は、２つの切り欠き４１８および２つの切り欠き４２２によって構成される２つの孔に嵌め込まれることより、防水ケース４１２の防水性を高めるためのものである。キャップ４５２の材質は特に限定されず、たとえば比較的軟質のシリコーン樹脂からなる。図示された例においては、キャップ４５２には、複数のケーブル孔４５４が形成されている。ケーブル孔４５４は、初期状態において貫通しておらず、たとえば深さ方向中途部分に比較的薄い隔壁を有する。ケーブル孔４５４にケーブルを挿通させる際には、この隔壁にケーブルに応じた孔や切込みを形成する。このような構成により、キャップ４５２は、防水ケース４１２の防水性を高めるとともに、必要に応じてケーブルを挿通させることが可能に構成されている。また、キャップ４５２およびキャップ４５６に設けられたケーブル孔４５４およびケーブル孔４５８にゴム製のグロメットやブッシングを設けてもよい。これにより更に防水性を高めることができる。
【００３２】
キャップ４５６は、切り欠き４２０によって構成される孔に嵌め込まれることにより、防水ケース４１２の防水性を高めるためのものである。キャップ４５６の材質は、キャップ４５２と同様である。キャップ４５６には、複数のケーブル孔４５８が形成されている。ケーブル孔４５８は、ケーブル孔４５４と同様の構成である。
【００３３】
電源部４３０は、たとえば商用の交流１００Ｖ電源から受けた電力を、複数の対象に分岐して供給するためのものである。本実施形態においては、端子台４４０の入力側には、電源ケーブル４４６が接続されている。電源ケーブル４４６は、たとえば商用の交流１００Ｖ電源に接続されるものである。電源ケーブル４４６は、防水ケース４１２のキャップ４５２のケーブル孔４５４に挿通されている。
【００３４】
端子台４４０の出力側には、中継ケーブル４４２と内部ケーブル４４４とが接続されている。中継ケーブル４４２は、長尺状ランプ５を対象として電力を供給するためのものである。図示された例においては、中継ケーブル４４２は、防水ケース４１２のキャップ４５６のケーブル孔４５８に挿通されており、先端にコネクタ４４８が取り付けられている。なお、コネクタ４４８は、防水ケース４１２内に設けられていてもよい。
【００３５】
内部ケーブル４４４は、電源部４３０を対象として電力を供給するためのものである。図示された例においては、内部ケーブル４４４は、防水ケース４１２の内部において電源部４３０に接続されている。
【００３６】
電源部４３０は、端子台４４０を介して受けた電力を、外部機器９０２に適した電力に変換するためのものである。本実施形態においては、電源部４３０は、電源基板４３２、電子部品４３４および外部用電源端子４３６を有する。
【００３７】
電源基板４３２は、電子部品４３４および外部用電源端子４３６が実装されるものであり、たとえばガラスエポキシ樹脂からなる基材を有する配線基板である。電子部品４３４は、電源部４３０が果たすべき機能であるＡＣ／ＤＣ変換機能や電圧調節機能を実現するためのものであり、たとえばトランス等を含む。外部用電源端子４３６は、外部機器９０２に電力を供給するためのものである。図示された例においては、外部用電源端子４３６は、防水ケース４１２内において電源基板４３２に実装されている。外部用電源端子４３６の構成は特に限定されず、その一例としてはＵＳＢ端子が挙げられる。ただし、外部機器９０２に電力を供給するための端子は、外部用電源端子４３６の構成に限定されない。外部用電源端子４３６に相当する端子が防水ケース４１２外に設けられていてもよい。
【００３８】
図示された例においては、電源部４３０と端子台４４０とは、切り欠き４２０を挟んでｘ方向に離間して配置されている。端子台４４０には、ｘ方向において電源部４３０とは反対側から電源ケーブル４４６が接続されている。外部用電源端子４３６は、電子部品４３４に対して端子台４４０とは反対側に配置されている。
【００３９】
〔長尺状ランプ５〕
長尺状ランプ５は、ｘ方向を長手方向とする細長い形状であり、器具３に支持された状態で、主にｚ方向に光を照射するものである。図２、図３、図４、図６〜図１２、図１４に示すように、本実施形態の長尺状ランプ５は、支持体２０３、ＬＥＤユニット２０５、ランプ側電源ユニット２０７および透光性カバー体２０９を有する。
【００４０】
支持体２０３は、ＬＥＤユニット２０５を支持するものである。支持体２０３は、ｘ方向に長く延びており、本実施形態においては、ｘ方向と直角である断面形状が一定である。支持体２０３の材質は特に限定されず、たとえばアルミ等の金属からなる。図示された例においては、支持体２０３は、筒部２３１および一対の延伸部２３３を有する。
【００４１】
筒部２３１は、ｘ方向に長く延びる筒状の部分であり、本実施形態においては、ランプ側電源ユニット２０７を収容している。図示された例においては、筒部２３１は、一対の短辺壁２４１、一対の連結壁２４２、一対の短辺壁２４３、長辺壁２３７、長辺壁２３９および一対の補助壁２５２を有する。一対の短辺壁２４１は、ｙ方向に離間して配置されている。短辺壁２４１は、ｘ方向に長く延びており、ｘ方向視においてｚ方向に沿う帯状である。一対の連結壁２４２は、一対の短辺壁２４１のｚ方向端縁に繋がっており、一対の短辺壁２４１に対してｙ方向外方に延出している。連結壁２４２は、ｘ方向に長く延びており、ｘ方向視においてｙ方向に沿う帯状である。一対の短辺壁２４３は、一対の連結壁２４２のｙ方向外方端縁に繋がっており、ｚ方向において一対の短辺壁２４１とは反対側に延出している。短辺壁２４３は、ｘ方向に長く延びており、ｘ方向視においてｚ方向に沿っている。
【００４２】
長辺壁２３９は、一対の短辺壁２４１の間に配置されている。長辺壁２３９は、ｘ方向に長く延びており、ｘ方向視においてｙ方向に沿う帯状である。一対の補助壁２５２は、長辺壁２３９のｙ方向両端に繋がっている。本実施形態においては、長辺壁２３９と一対の補助壁２５２とによって、凹入部分２４７が構成されている。凹入部分２４７は、ｘ方向に長く延び、ｚ方向に凹む、比較的浅い溝状の部位である。凹入部分２４７には、ＬＥＤユニット２０５が配置される。
【００４３】
一対の延伸部２３３は、筒部２３１のｚ方向図中下端からｙ方向外方両側に延出している。延伸部２３３は、ｘ方向に長く延びており、ｘ方向視においてｙ方向に沿う略帯状である。図示された例においては、一対の延伸部２３３のｙ方向内端縁付近に、一対の張出片２５１が形成されている。張出片２５１は、ｚ方向に張り出した部位である。
【００４４】
本実施形態においては、支持体２０３には、一対の固定溝２６７と一対の固定溝２６９とが形成されている。一対の固定溝２６７は、筒部２３１のｙ方向両側に配置されており、一対の短辺壁２４１と一対の延伸部２３３とが形成する角部に形成されている。一対の固定溝２６９は、一対の短辺壁２４３のｙ方向両側に配置されており、一対の短辺壁２４３のうち一対の連結壁２４２と繋がる部分近傍に形成されている。一対の固定溝２６７および一対の固定溝２６９は、支持体２０３のｘ方向全長に渡って設けられている。一対の固定溝２６７および一対の固定溝２６９は、たとえばｘ方向両端において後述の一対の位置決め部材２１３と嵌合等されることにより、支持体２０３と透光性カバー体２０９とを固定するために用いられる。
【００４５】
ランプ側電源ユニット２０７は、器具３の器具側電源ユニット２０８から供給された電力を、ランプ側電源ユニット２０７を点灯させるのに適した電力に変換するためのものである。このようなランプ側電源ユニット２０７は、たとえばＡＣ／ＤＣ変換機能や電圧調節機能を有する。本実施形態においては、ランプ側電源ユニット２０７は、絶縁ケース２８３、一対のキャップ２８４、回路基板２８１および複数の電子部品２７７を有する。本実施形態のランプ側電源ユニット２０７は、ｘ方向に細長く延びる形状であり、支持体２０３の筒部２３１に収容されている。本実施形態においては、ランプ側電源ユニット２０７は、図示しないケーブル等によってＬＥＤユニット２０５に接続されている。
【００４６】
絶縁ケース２８３は、回路基板２８１および複数の電子部品２７７を収容するものである。絶縁ケース２８３は、たとえばｘ方向に長く延びる筒状であり、樹脂等の絶縁性材料からなる。
【００４７】
一対のキャップ２８４は、絶縁ケース２８３のｘ方向両端に嵌め込まれることより、絶縁ケース２８３の防水性を高めるためのものである。キャップ２８４の材質は特に限定されず、たとえばキャップ４５２およびキャップ４５６と同様に比較的軟質のシリコーン樹脂からなる。図示された例においては、キャップ２８４には、複数のケーブル孔２８６が形成されている。ケーブル孔２８６は、初期状態において貫通しておらず、たとえば深さ方向中途部分に比較的薄い隔壁を有する。ケーブル孔２８６にケーブルを挿通させる際には、この隔壁にケーブルに応じた孔や切込みを形成する。このような構成により、キャップ２８４は、絶縁ケース２８３の防水性を高めるとともに、必要に応じてケーブルを挿通させることが可能に構成されている。また、器具側電源ユニット２０８と同様にキャップ２８４に設けられたケーブル孔２８６にゴム製のグロメットやブッシングを設けてもよい。これにより更に防水性を高めることができる。
【００４８】
回路基板２８１は、複数の電子部品２７７が実装されるものであり、絶縁ケース２８３に収容されている。本実施形態においては、回路基板２８１は、ｘ方向に長く延びており、ｙ方向を幅方向とする長矩形状である。回路基板２８１は、たとえばガラスエポキシ樹脂からなる基材を有する配線基板である。
【００４９】
複数の電子部品２７７は、ランプ側電源ユニット２０７が果たすべきＡＣ／ＤＣ変換機能や電圧調節機能を実現するためのものである。複数の電子部品２７７は、回路基板２８１に実装されており、絶縁ケース２８３に収容されている。
【００５０】
図９および図１５に示すように、本実施形態においては、ランプ側電源ユニット２０７には、ケーブル２８８が接続されている。ケーブル２８８は、ランプ側電源ユニット２０７の複数の電子部品２７７のいずか、あるいは実装基板２７１に取り付けられた端子に接続されており、キャップ２８４のケーブル孔２８６に挿通されている。なお、ケーブル孔２８６とケーブル２８８とは、適切な防水性を発揮する程度に互いに圧着していることが好ましい。ケーブル２８８の先端にはコネクタ２９０が取り付けられている。コネクタ２９０は、器具側電源ユニット２０８から延びる中継ケーブル４４２に取り付けられたコネクタ４４８と接続される。これにより、器具側電源ユニット２０８と器具側電源ユニット２０８とが接続される。なお、コネクタ４４８とコネクタ２９０とは、図示されたように器具側電源ユニット２０８の防水ケース４１２外において接続されてもよいし、防水ケース４１２内において接続されてもよい。防水ケース４１２外で接続される場合、コネクタ２９０およびコネクタ４４８は、防水タイプのコネクタであることが好ましい。
【００５１】
ＬＥＤユニット２０５は、長尺状ランプ５における発光機能を果たすユニットである。本実施形態においては、ＬＥＤユニット２０５は、実装基板２７１および複数のＬＥＤ２７３を有する。
【００５２】
実装基板２７１は、ｘ方向に長く延びており、ｙ方向を幅方向とし、ｚ方向を厚さ方向とする長矩形状の基板である。実装基板２７１の具体的構成は特に限定されず、たとえばガラスエポキシ樹脂からなる基材を有する配線基板である。実装基板２７１は、支持体２０３の凹入部分２４７に収容されており、長辺壁２３９に対して例えば接合等の手法により固定されている。
【００５３】
複数のＬＥＤ２７３は、ＬＥＤユニット２０５の光源であり、実装基板２７１に実装されている。図示された例においては、複数のＬＥＤ２７３は、実装基板２７１のうち長辺壁２３９とは反対側の面に実装されている。複数のＬＥＤ２７３は、ｘ方向に配列されており、図示された例においては、２列に配列されているが、これは複数のＬＥＤ２７３の配置を示す一例である。
【００５４】
ＬＥＤ２７３は、いわゆるベアチップＬＥＤでもよいし、ベアチップＬＥＤとこれを覆う透光樹脂とを有するＬＥＤモジュールであってもよい。ＬＥＤ２７３がＬＥＤモジュールである場合、たとえば青色光を発するベアチップＬＥＤが蛍光材料を含む透光樹脂によって覆われる構成とされる。この蛍光材料は、ベアチップＬＥＤからの光によって励起されることにより、たとえば黄色光を発する。このような構成により、このＬＥＤモジュールからは、たとえば白色光が発せられる。
【００５５】
透光性カバー体２０９は、支持体２０３、ＬＥＤユニット２０５およびランプ側電源ユニット２０７を収容する筒状の部材であり、ＬＥＤユニット２０５からの光を透過する材質からなる。透光性カバー体２０９の材質としては、たとえば半透明の乳白色樹脂が挙げられる。このような透光性カバー体２０９は、ＬＥＤユニット２０５からの光を拡散させつつ透過させる。
【００５６】
本実施形態においては、透光性カバー体２０９は、カバー筒部２９３および一対のリブ２９５を有する。カバー筒部２９３は、ｘ方向に長く延びる筒状部位であり、支持体２０３、ＬＥＤユニット２０５およびランプ側電源ユニット２０７を収容している。図示された例においては、カバー筒部２９３は、裏壁２９３ａ、表壁２９３ｂおよび一対の側壁２９３ｃを有する。
【００５７】
裏壁２９３ａは、ｚ方向において器具３側に位置しており、ｘ方向に長く延び、ｘ方向視においてｙ方向に沿う帯状部位である。表壁２９３ｂは、裏壁２９３ａに対して支持体２０３、ＬＥＤユニット２０５およびランプ側電源ユニット２０７を挟んでｚ方向に離間している。図示された例においては、裏壁２９３ａは、ｘ方向に長く延びており、ｘ方向視においてｚ方向図中下方に緩やかに膨出した形状である。また、図示された例においては、表壁２９３ｂのｙ方向寸法は、裏壁２９３ａのｙ方向寸法よりも大きい。一対の側壁２９３ｃは、ｙ方向に互いに離間しており、裏壁２９３ａと表壁２９３ｂとを繋いでいる。裏壁２９３ａと表壁２９３ｂとのｙ方向寸法の相違により、一対の側壁２９３ｃは、ｚ方向において裏壁２９３ａから表壁２９３ｂに向かうほど、互いのｙ方向距離が大きくなっている。
【００５８】
一対のリブ２９５は、カバー筒部２９３の裏壁２９３ａ外面から突出するように形成されている。一対のリブ２９５は、互いにｙ方向に離間しており、ｘ方向に延出している。リブ２９５は、概ねｘ方向に長く延びている。図９および図１０に示すように、リブ２９５は、ｘ方向において器具３の器具側電源ユニット２０８と重なる領域には、設けられていない。これにより、器具側電源ユニット２０８を透光性カバー体２０９のカバー筒部２９３の裏壁２９３ａにより近接して配置することができる。
【００５９】
本実施形態においては、図７および図８に示すように、透光性カバー体２０９には、一対のランプ側装着具２２３が取り付けられている。一対のランプ側装着具２２３は、ｘ方向に離間して配置されており、透光性カバー体２０９のカバー筒部２９３の裏壁２９３ａに対してたとえばねじによって取り付けられている。一対のランプ側装着具２２３のｘ方向位置は、器具３の一対の器具側装着具１３に対応した位置とされている。ランプ側装着具２２３は、たとえば金属板を折り曲げ加工することによって形成されており、器具側装着具１３のばね体８１と係合可能な形状である。
【００６０】
本実施形態においては、長尺状ランプ５は、一対の位置決め部材２１３、一対の内パッキン２２１および一対の外パッキン２１９と、蓋体２１５および蓋体２１７を有する。
【００６１】
一対の位置決め部材２１３は、支持体２０３のｘ方向両端に設けられており、支持体２０３の一対の固定溝２６７および一対の固定溝２６９と嵌合等する部位を有する。また、一対の位置決め部材２１３は、透光性カバー体２０９のカバー筒部２９３のｘ方向両端に収容されている。これにより、支持体２０３と透光性カバー体２０９とは、一対の位置決め部材２１３を介して互いに位置決めされる。
【００６２】
一対の内パッキン２２１および一対の外パッキン２１９と、蓋体２１５および蓋体２１７は、透光性カバー体２０９のｘ方向両端を塞ぐためのものであり、特に防水性を高めることが意図されている。
【００６３】
一対の内パッキン２２１は、透光性カバー体２０９のｘ方向両端に収容されており、透光性カバー体２０９の内周面に圧入されている。一対の外パッキン２１９は、透光性カバー体２０９のｘ方向両端に嵌められており、透光性カバー体２０９の外周面に圧着している。蓋体２１５および蓋体２１７は、一対の内パッキン２２１の溝部に圧入された部分と、一対の外パッキン２１９の外面を圧着状態で覆う部分と、を有する。一対の内パッキン２２１、一対の外パッキン２１９と、蓋体２１５および蓋体２１７とにより、透光性カバー体２０９のｘ方向両端が塞がれており、当該部分の防水性が高められている。なお、透光性カバー体２０９のｘ方向端部からケーブル等を延出させる構成の場合、蓋体２１５および蓋体２１７のいずれかにケーブルを挿通させるための孔を設けてもよい。
【００６４】
本実施形態においては、照明装置Ａ１は、一対のカバー体５０７を有している。一対のカバー体５０７は、長尺状ランプ５のｘ方向両端を覆っている。カバー体５０７は、たとえば樹脂成形品である。一対のカバー体５０７は、長尺状ランプ５のｘ方向両端における蓋体２１５や蓋体２１７等が外観に表れることを回避し、照明装置Ａ１の外観をより美麗に仕上げるという効果を奏する。
【００６５】
〔脱着機構１６〕
脱着機構１６は、器具３による長尺状ランプ５の支持をより確実化しつつ、器具３からの長尺状ランプ５取り外しをスムーズに行うためのものである。図１１、図１７および図１８に示すように、本実施形態においては、脱着機構１６は、器具側支持体７２、ランプ側支持体７４、スライド部材７６およびばね体７８を有する。
【００６６】
器具側支持体７２は、図１１、図１３および図１８に示すように、器具３に取り付けられる部品であり、本実施形態においては、器具３の器具本体１１の器具本体部材３１の底部３２に取り付けられている。図示された例においては、器具側支持体７２は、一対の取付部３０２、一対の外側板部３０４、一対の底面部３０６、一対の内側板部３０８および一対の中板部３１０を有しており、たとえば金属板を折り曲げ加工することにより形成される。
【００６７】
一対の取付部３０２は、底部３２に取り付けられる部位である。一対の取付部３０２は、互いにｙ方向に離間しており、ｚ方向を厚さ方向とする板状部位である。図１１に示すように一対の取付部３０２は、たとえばねじ３１６によって底部３２に取り付けられる。
【００６８】
一対の外側板部３０４は、一対の取付部３０２のｙ方向外端縁に繋がっており、ｚ方向図中下方に向けて延出している。一対の底面部３０６は、一対の外側板部３０４のｚ方向図中下端に繋がっており、ｙ方向沿ってｙ方向内側に延出している。一対の内側板部３０８は、一対の底面部３０６のｙ方向内端縁に繋がっており、ｚ方向図中上方に向けて延出している。内側板部３０８のｚ方向寸法は、外側板部３０４のｚ方向寸法よりも小さい。中板部３１０は、一対の内側板部３０８のｚ方向図中上端同士を繋いでいる。
【００６９】
また、器具側支持体７２には、スリット３１２およびスリット３１４が形成されている。スリット３１２は、一方の内側板部３０８に形成されており、内側板部３０８をｙ方向に貫通している。スリット３１２は、ｘ方向に長く延びる細長い形状である。スリット３１４は、スリット３１２が形成された内側板部３０８と同じ側に位置する外側板部３０４に形成されている。スリット３１４は、外側板部３０４をｙ方向に貫通しており、ｘ方向に長く延びる細長い形状である。スリット３１２とスリット３１４とは、ｙ方向視において略一致する。
【００７０】
ランプ側支持体７４は、図１１および図１９に示すように、長尺状ランプ５に取り付けられる部品であり、本実施形態においては、長尺状ランプ５の透光性カバー体２０９のリブ２９５に取り付けられている。図示された例においては、図１１、図１８および図１９に示すように、ランプ側支持体７４は、一対の取付部３２２、一対の側板部３２４、延出部３２６、挿通部３２８および係合部３３０を有する。
【００７１】
一対の取付部３２２は、透光性カバー体２０９のリブ２９５にたとえばねじ等によって取り付けられる板状部位であり、互いにｘ方向に離間している。一対の側板部３２４は、一対の取付部３２２のｘ方向内端縁に繋がっており、ｙ方向に沿ってリブ２９５から離間する側に延出している。延出部３２６は、一方の取付部３２２のｘ方向外端縁に繋がっており、ｙ方向に延出している。挿通部３２８は、一対の側板部３２４のｙ方向端縁同士を繋いでいる。また、挿通部３２８は、側板部３２４に対してｚ方向図中上方に延びる形状である。係合部３３０は、挿通部３２８のｚ方向図中上端に繋がっており、ｚ方向図中斜め下方に延出している。係合部３３０のｚ方向寸法は、挿通部３２８のｚ方向寸法よりも小さい。
【００７２】
スライド部材７６は、脱着機構１６が器具３と長尺状ランプ５とを固定する状態と、器具３から長尺状ランプ５を離脱可能である状態と、を切り替えるための部材である。図示された例においては、スライド部材７６は、主板部３４２および操作部３４６を有する。
【００７３】
主板部３４２は、ｚ方向を厚さ方向とし、ｙ方向を長手方向とし、ｘ方向を幅方向とする板状部位である。主板部３４２は、器具側支持体７２のスリット３１２およびスリット３１４に挿通されている。図示された例においては、主板部３４２は、孔３４４およびばね保持部３４８を有する。
【００７４】
孔３４４は、主板部３４２のｙ方向における操作部３４６とは反対側寄りに形成されており、たとえばｚ方向視矩形状である。器具３によって長尺状ランプ５が支持された状態においては、孔３４４には、ランプ側支持体７４の挿通部３２８が挿通されている。また、係合部３３０が主板部３４２のうち孔３４４の周辺部分に係合している。
【００７５】
ばね保持部３４８は、孔３４４に対してスリット３１２が形成された内側板部３０８を挟んで反対側に設けられている。ばね保持部３４８は、ｙ方向に延びる細長い部位であり、主板部３４２を構成する部位が部分的に打ち抜かれることにより残存した部分である。
【００７６】
操作部３４６は、主板部３４２のｙ方向外端縁に繋がっており、図示された例においては、ｚ方向図中斜め下方に概ね延出した形状である。操作部３４６は、器具３から長尺状ランプ５を離脱させるための操作に用いられる部位である。なお、本実施形態においては、操作部３４６は、図１および図１１に示すように、器具３の器具本体部材３１に設けられた貫通孔４６から外部に露出している。
【００７７】
ばね体７８は、器具３によって長尺状ランプ５を支持する状態を維持するように、主板部３４２に対して弾性力を付勢するためのものである。図示された例においては、ばね体７８は、スライド部材７６の主板部３４２のばね保持部３４８に嵌められている。図１７においては、ばね体７８は、ばね保持部３４８のｙ方向端と外側板部３０４とに挟まれており、自然長よりも若干収縮させられている。これにより、スライド部材７６をｙ方向内方へと向かわせる弾性力が、ばね体７８から付勢されている。操作部３４６を用いてスライド部材７６をｙ方向外方にスライドさせると、ばね保持部３４８のｙ方向端と外側板部３０４との間隔が小さくなり、これに伴ってばね体７８がさらに収縮される。
【００７８】
脱着機構１６による器具３から長尺状ランプ５を離脱させる動作について、図１９〜図２１を参照しつつ以下に説明する。なお、これらの図においては、理解の便宜上、器具３を省略している。器具側支持体７２が器具３に取り付けられた構成であるため、これらの図における器具側支持体７２と長尺状ランプ５との相対的な位置関係が、器具３と長尺状ランプ５との相対的な位置関係を表している。
【００７９】
図１９は、脱着機構１６において器具側支持体７２とランプ側支持体７４とが互いに係合している状態であり、器具３によって長尺状ランプ５が支持されている。すなわち、ランプ側支持体７４の係合部３３０がスライド部材７６の主板部３４２に係合している状態である。この場合、上述した器具側装着具１３のばね体８１は、図８に示すように、長尺状ランプ５のランプ側装着具２２３に係合した上で、器具３の底部３２に近づいた状態である。このように、脱着機構１６における係合と器具側装着具１３およびランプ側装着具２２３との係合とにより、長尺状ランプ５は、器具３によって支持されている。
【００８０】
図２０は、器具３から長尺状ランプ５を離脱させることが可能な状態に脱着機構１６を操作する様子を示している。本実施形態においては、操作部３４６を把持する等により、スライド部材７６をｙ方向外方にスライドさせる。スライド部材７６のスライドに伴って、ばね体７８が収縮される。このため、スライド部材７６には、操作によるスライド方向とは反対側に向かう弾性力が増大する。スライド部材７６をスライドさせると、ｚ方向視においてランプ側支持体７４の係合部３３０が、スライド部材７６の主板部３４２の孔３４４に内包される状態となる。これにより、係合部３３０と主板部３４２との係合が解除され、ランプ側支持体７４の係合部３３０および挿通部３２８が、主板部３４２の孔３４４からｚ方向図中下方に抜け出ることが可能な状態となる。
【００８１】
図２０に示す状態でスライド部材７６を維持しつつ、長尺状ランプ５を器具３に対してｚ方向図中下方に引き下げる。これにより、ランプ側支持体７４の係合部３３０および挿通部３２８が、主板部３４２の孔３４４からｚ方向図中下方に抜け出るとともに、器具側装着具１３のばね体８１が、底部３２からｚ方向図中下方に離間する方向に旋回するように弾性変形する。この結果、長尺状ランプ５が器具３に対してｚ方向図中下方に離間した状態が実現される。この後は、コネクタ４４８とコネクタ２９０とを外す動作を経て、一対の器具側装着具１３のばね体８１と一対のランプ側装着具２２３との係合を解除することにより、長尺状ランプ５を器具３から完全に離脱させることができる。
【００８２】
次に、照明装置Ａ１の作用について説明する。
【００８３】
本実施形態によれば、図９および図１６に示すように、器具側電源ユニット２０８は、端子台４４０および電源部４３０が防水ケース４１２に収容された構成とされている。端子台４４０は、たとえば商用１００Ｖ電源からの電力を受けるための電源ケーブル４４６が接続され、電源部４３０に繋がる内部ケーブル４４４および長尺状ランプ５に電力を供給するための中継ケーブル４４２が接続される。また、電源部４３０は、外部機器９０２に供給するための電力を生成するものである。このような端子台４４０および電源部４３０が防水ケース４１２に収容されていることにより、水分が多く存在する環境に照明装置Ａ１が設置された場合に、端子台４４０や電源部４３０が水分に不当に晒されることを抑制することが可能である。また、器具側電源ユニット２０８は、長尺状ランプ５への電力供給のみならず、外部機器９０２への電力供給が可能である。したがって、照明装置Ａ１によれば、防水性を高めつつ、外部機器９０２に電力を適切に供給することができる。
【００８４】
器具側電源ユニット２０８は、器具３に取り付けられている。このため、長尺状ランプ５が使用された後に新しい長尺状ランプ５に交換する場合や、仕様が異なる長尺状ランプ５に交換する場合であっても、器具側電源ユニット２０８を取り替えることなく共通して使用することができる。
【００８５】
長尺状ランプ５は、ＬＥＤユニット２０５とＬＥＤユニット２０５に電力を供給するためのランプ側電源ユニット２０７とを有する。ＬＥＤユニット２０５の具体的な構成によって、ＬＥＤユニット２０５に供給すべき電力の仕様が異なりうる。例えば、明るさ（全光束）が異なる長尺状ランプ５に交換する場合などがこれに相当する。ランプ側電源ユニット２０７が器具３ではなく長尺状ランプ５に含まれていることにより、ＬＥＤユニット２０５に応じて適切な仕様のランプ側電源ユニット２０７を長尺状ランプ５に搭載することができる。また、器具側電源ユニット２０８を長尺状ランプ５の具体的仕様に応じた構成とすることが不要であり、器具側電源ユニット２０８を共通して使用するのに好ましい。
【００８６】
長尺状ランプ５は、ＬＥＤユニット２０５およびランプ側電源ユニット２０７を収容する透光性カバー体２０９を有する。透光性カバー体２０９は、ＬＥＤユニット２０５からの光を透過させる機能を有するものであり、防水性を高めやすい。これにより、水分が多く存在する環境に照明装置Ａ１が設置された場合であっても、ＬＥＤユニット２０５や器具側電源ユニット２０８が水分に不当に晒されることを抑制することができる。
【００８７】
長尺状ランプ５の一部が器具３に収容されていることにより、器具３によって長尺状ランプ５を適切に支持可能であるとともに、長尺状ランプ５の一部が器具３の開口１４から露出することにより、長尺状ランプ５からの光をより広い領域に照射することができる。また、長尺状ランプ５と器具３の底部３２との間に器具側電源ユニット２０８が配置されていることにより、器具側電源ユニット２０８と長尺状ランプ５との電気的な接続をより行いやすいという利点がある。
【００８８】
脱着機構１６を備えることにより、図１９〜図２１に示すように、器具３による長尺状ランプ５の支持をより確実化しつつ、器具３からの長尺状ランプ５取り外しをスムーズに行うことができる。なお、本実施形態においては、操作部３４６をｙ方向外方に引き出すことにより、脱着機構１６の係合状態が解除される構成であるが、脱着機構１６の具体的構成がこれに限定されない。たとえば、操作部３４６をｙ方向内方に押し込むことにより、脱着機構１６の係合状態が解除される構成であってもよい。このような構成であっても、ばね体７８が、スライド部材７６を係合状態を維持する方向に向かわせる弾性力を付勢する構成が好ましい。また、本発明に係る照明装置は、脱着機構１６を備えない構成であってもよい。
【００８９】
図２２および図２３は、本発明の他の実施形態を示している。なお、これらの図において、上記実施形態と同一または類似の要素には、上記実施形態と同一の符号を付している。
【００９０】
＜第２実施形態＞
図２２は、本発明の第２実施形態に係る照明装置を示している。本実施形態の照明装置Ａ２は、長尺状ランプ５が無線通信ユニット２０６を有している。
【００９１】
無線通信ユニット２０６は、ランプ側電源ユニット２０７に接続されており、外部との電波の送受信を適切に行うことが可能な部位に設けられている。無線通信ユニット２０６は、たとえば外部からの指令無線信号を受信することにより、ランプ側電源ユニット２０７からＬＥＤユニット２０５への電力供給をＯＮ／ＯＦＦしたり、ランプ側電源ユニット２０７からＬＥＤユニット２０５への電力の供給状態を変更する機能を果たす。
【００９２】
このような構成によれば、器具側電源ユニット２０８から外部機器９０２への電力供給のＯＮ／ＯＦＦとは独立して、長尺状ランプ５のＯＮ／ＯＦＦ等の点灯操作を行うことが可能である。また、長尺状ランプ５をＯＮ／ＯＦＦさせるためのスイッチ等を壁面等に設ける必要がない。また、これに伴って、器具３側から長尺状ランプ５側へと点灯制御のための制御ケーブルを接続する必要がない。これは、照明装置Ａ２の機能を低下させることなく機器構成を簡素化するのに好ましい。また、本実施形態では無線通信ユニット２０６により外部からの無線信号を受信する構成としたが、電力線に重畳させた制御信号を受信できる有線通信ユニットを用いても良い。
【００９３】
＜第３実施形態＞
図２３は、本発明の第３実施形態に基づく照明装置を示している。本実施形態の照明装置Ａ３は、上述した電源部４３０および外部用電源端子４３６が、長尺状ランプ５に設けられている。
【００９４】
本実施形態においては、器具側電源ユニット２０８は、端子台４４０を有しているものの、電力変換等の機能は必須ではない。器具側電源ユニット２０８で受けた電力は、明確な電力変換等の処理を受けることなく、長尺状ランプ５のランプ側電源ユニット２０７へと供給される。ランプ側電源ユニット２０７は、供給された電力を上述した実施形態と同様に、ＬＥＤユニット２０５の点灯に適した電力に変換する。また、ランプ側電源ユニット２０７は、供給された電力の一部を電源部４３０に供給する機能を有する。電源部４３０では、供給された電力を外部機器９０２に適した電力に変換し、外部用電源端子４３６を介して外部機器９０２へと供給する。このような実施形態によっても、照明装置Ａ３によって長尺状ランプ５だけでなく、照明装置Ａ３以外の外部機器９０２に電力を適切に供給することができる。
【００９５】
上述した実施形態における外部機器９０２は、特に限定されず、例えば防犯カメラ等の撮像機器、スピーカー等の報知機器、液晶ディスプレイ等の表示機器、が挙げられる。たとえば、外部機器９０２が防犯カメラである場合、照明装置Ａ１〜Ａ３からは、所定の電力のみを供給する構成とすることができる。外部機器９０２としての防犯カメラの動作制御や、映像信号の出力は、たとえば外部機器９０２に無線通信ユニットを設けることにより、無線通信によって行うことができる。また、外部機器９０２が、スピーカーや液晶ディスプレイである場合、外部機器９０２にたとえばBlueTooth（登録商標）規格に準拠した近距離無線通信を用いて音声信号や映像信号を送受信することができる。
【００９６】
本発明に係る照明装置は、上述した実施形態に限定されるものではない。本発明に係る照明装置の各部の具体的な構成は、種々に設計変更自在である。
【符号の説明】
【００９７】
Ａ１〜Ａ３：照明装置
３        ：器具
５        ：長尺状ランプ
１１      ：器具本体
１３      ：器具側装着具
１４      ：開口
１６      ：脱着機構
３１      ：器具本体部材
３２      ：底部
３３，３５：第１端部材
４５，４６：貫通孔
７２      ：器具側支持体
７４      ：ランプ側支持体
７６      ：スライド部材
７８      ：ばね体
８１      ：ばね体
８３      ：ばね固定部材
２０３    ：支持体
２０５    ：ＬＥＤユニット
２０６    ：無線通信ユニット
２０７    ：ランプ側電源ユニット
２０８    ：器具側電源ユニット
２０９    ：透光性カバー体
２１３    ：位置決め部材
２１５，２１７：蓋体
２１９    ：外パッキン
２２１    ：内パッキン
２２３    ：ランプ側装着具
２３１    ：筒部
２３３    ：延伸部
２３７    ：長辺壁
２３９    ：長辺壁
２４１    ：短辺壁
２４２    ：連結壁
２４３    ：短辺壁
２４７    ：凹入部分
２５１    ：張出片
２５２    ：補助壁
２６７，２６９：固定溝
２７１    ：実装基板
２７３    ：ＬＥＤ
２７７    ：電子部品
２８１    ：回路基板
２８３    ：絶縁ケース
２８４    ：キャップ
２８６    ：ケーブル孔
２８８    ：ケーブル
２９０    ：コネクタ
２９３    ：カバー筒部
２９３ａ  ：裏壁
２９３ｂ  ：表壁
２９３ｃ  ：側壁
２９５    ：リブ
３０２    ：取付部
３０４    ：外側板部
３０６    ：底面部
３０８    ：内側板部
３１０    ：中板部
３１２，３１４：スリット
３２２    ：取付部
３２４    ：側板部
３２６    ：延出部
３２８    ：挿通部
３３０    ：係合部
３４２    ：主板部
３４４    ：孔
３４６    ：操作部
３４８    ：ばね保持部
４１２    ：防水ケース
４１４    ：本体部
４１６    ：蓋部
４１８，４２０，４２２：切り欠き
４３０    ：電源部
４３２    ：電源基板
４３４    ：電子部品
４３６    ：外部用電源端子
４４０    ：端子台
４４２    ：中継ケーブル
４４４    ：内部ケーブル
４４６    ：電源ケーブル
４４８    ：コネクタ
４５２，４５６：キャップ
４５４，４５８：ケーブル孔
５０７    ：カバー体
９０２    ：外部機器
９０４    ：外部機器ケーブル
【図１】
2019102213.tif 000003
【図２】
2019102213.tif 000004
【図３】
2019102213.tif 000005
【図４】
2019102213.tif 000006
【図５】
2019102213.tif 000007
【図６】
2019102213.tif 000008
【図７】
2019102213.tif 000009
【図８】
2019102213.tif 000010
【図９】
2019102213.tif 000011
【図１０】
2019102213.tif 000012
【図１１】
2019102213.tif 000013
【図１２】
2019102213.tif 000014
【図１３】
2019102213.tif 000015
【図１４】
2019102213.tif 000016
【図１５】
2019102213.tif 000017
【図１６】
2019102213.tif 000018
【図１７】
2019102213.tif 000019
【図１８】
2019102213.tif 000020
【図１９】
2019102213.tif 000021
【図２０】
2019102213.tif 000022
【図２１】
2019102213.tif 000023
【図２２】
2019102213.tif 000024
【図２３】
2019102213.tif 000025